(57)【要約】【課題】水溶液処理の効果を長く維持すると共に水溶液の液質を十分に改善し得るセラミック体、その製造方法、その処理水溶液及びセラミック体を用いた水溶液処理装置を提供する。【解決手段】全重量に対してカルシウムを１５〜４５重量％、アルミニウムを５〜３０重量％、ケイ素を５〜３０重量％で含み、全体の組成合計量が１００％以下になるよう配合されると共に常温で処理して形成される。このようなセラミック体に水溶液が接触して流下すると、水溶液中の水が分子レベルで単体化して空気中の酸素と反応しない状態に変化すると共に、水に細菌等を分解及び除去する能力を生じる。【選択図】　　　　なし【特許請求の範囲】
【請求項１】
全重量に対してカルシウムを１５〜４５重量％、アルミニウムを５〜３０重量％、ケイ素を５〜３０重量％で含み、全体の組成合計量が１００％以下になるよう配合されると共に常温で処理して形成されたことを特徴とするセラミック体。
【請求項２】
全重量に対して鉄を５〜３０重量％、マグネシウムを５〜３０重量％、ナトリウムを１〜１０重量％で含み、全体の組成合計量が１００％以下になるよう配合された請求項１記載のセラミック体。
【請求項３】
スカンジウム１〜１０重量％、ジルコニウム０．５〜１０重量％、カリウム０．５〜１０重量％、ポロニウム０．５〜１０重量％、チタン０．５〜１０重量％のうち少なくとも一つを含み、全体の組成合計量が１００％以下になるよう配合された請求項１又は２記載のセラミック体。
【請求項４】
全重量に対してカルシウムを１５〜４５重量％、アルミニウムを５〜３０重量％、ケイ素を５〜３０重量％、鉄を５〜３０重量％、マグネシウムを５〜３０重量％、ナトリウムを１〜１０重量％を含むと共に、スカンジウム１〜１０重量％、ジルコニウム０．５〜１０重量％、カリウム０．５〜１０重量％、ポロニウム０．５〜１０重量％、チタン０．５〜１０重量％のうち少なくとも一つを含み、全体の組成合計量が１００％以下になるよう配合されると共に常温で処理して形成されたことを特徴とするセラミック体。
【請求項５】
請求項１〜請求項４のいずれかに記載のセラミック体を形成し得るよう、原料である粒径１０〜３００μｍの粉体に水を加えて粘土状にし、常温の温度範囲で乾燥して製造することを特徴とするセラミック体の製造方法。
【請求項６】
第一次乾燥を湿度５０〜９０％及び温度２５〜４０℃の条件下で行い、第二次乾燥を第一次乾燥より低い湿度及び常温下の条件下で行う請求項５記載のセラミック体の製造方法。
【請求項７】
請求項１〜請求項４のいずれかに記載のセラミック体に接触させて処理したことを特徴とするセラミック体の処理水溶液。
【請求項８】
請求項１〜請求項４のいずれかに記載のセラミック体に水溶液が接触し得るよう、流路管にセラミック体を充填したことを特徴とするセラミック体を用いた水溶液処理装置。
【請求項９】
流路管の周囲に、内部空間を形成する流路外周体を設けると共に、流路外周体の内部に、予めセラミック体で処理した処理水溶液を封入するよう構成した請求項８記載の水溶液処理装置。
【発明の詳細な説明】
【０００１】
【発明の属する技術分野】
本発明は、セラミック体、その製造方法、その処理水溶液及びセラミック体を用いた水溶液処理装置に関するものである。
【０００２】
【従来の技術】
近年、水や海水は工業、畜産、農業等の排水により汚染される傾向にあるため、水や海水の水質を改善するよう水処理装置が使用されている。また、飲料水ブームにより、まろやかで美味しい水や健康に良い水が求められているため、水道水を処理する水処理装置が使用されている。
【０００３】
このような水処理装置には、電気分解や鉱石により水にマイナスイオンを与えるもの、磁気処理するもの、及び高温処理で製造されたセラミックボールにより水のクラスタ（水分子の集団）を小さくするものがあり、水や海水を処理して水質を改善している。
【０００４】
【発明が解決しようとする課題】
しかしながら、水や海水を上記の如き水処理装置により処理して水質を改善した場合には、マイナスイオンやクラスタ（水分子の集団）が短時間のうちに空気中の酸素と反応して元の状態に戻るため、水処理の効果を長く維持できず、水質を十分に改善できないという問題があった。
【０００５】
本発明は上述の実情に鑑みてなしたもので、水溶液処理の効果を長く維持すると共に水溶液の液質を十分に改善し得るセラミック体、その製造方法、その処理水溶液及びセラミック体を用いた水溶液処理装置を提供することを目的としている。
【０００６】
【課題を解決するための手段】
本発明者は上記課題を解決すべく鋭意検討した結果、カルシウム、アルミニウム、ケイ素を所定の割合で含むよう常温で処理されたセラミック体を見出し、更に当該セラミック体を水溶液処理装置に用いた際には、水溶液処理の効果を長く維持すると共に水溶液の液質を十分に改善し得ることを見出し、本発明を完成するに至った。
【０００７】
すなわち、本発明の請求項１は、全重量に対してカルシウムを１５〜４５重量％、アルミニウムを５〜３０重量％、ケイ素を５〜３０重量％で含み、全体の組成合計量が１００％以下になるよう配合されると共に常温で処理して形成されたことを特徴とするセラミック体に係るものであり、本発明の請求項２は、全重量に対して鉄を５〜３０重量％、マグネシウムを５〜３０重量％、ナトリウムを１〜１０重量％で含み、全体の組成合計量が１００％以下になるよう配合された請求項１記載のセラミック体に係るものであり、本発明の請求項３は、スカンジウム１〜１０重量％、ジルコニウム０．５〜１０重量％、カリウム０．５〜１０重量％、ポロニウム０．５〜１０重量％、チタン０．５〜１０重量％のうち少なくとも一つを含み、全体の組成合計量が１００％以下になるよう配合された請求項１又は２記載のセラミック体に係るものである。
【０００８】
又、本発明の請求項４は、全重量に対してカルシウムを１５〜４５重量％、アルミニウムを５〜３０重量％、ケイ素を５〜３０重量％、鉄を５〜３０重量％、マグネシウムを５〜３０重量％、ナトリウムを１〜１０重量％を含むと共に、スカンジウム１〜１０重量％、ジルコニウム０．５〜１０重量％、カリウム０．５〜１０重量％、ポロニウム０．５〜１０重量％、チタン０．５〜１０重量％のうち少なくとも一つを含み、全体の組成合計量が１００％以下になるよう配合されると共に常温で処理して形成されたことを特徴とするセラミック体に係るものである。
【０００９】
更に、本発明の請求項５は、請求項１〜請求項４のいずれかに記載のセラミック体を形成し得るよう、原料である粒径１０〜３００μｍの粉体に水を加えて粘土状にし、常温の温度範囲で乾燥して製造することを特徴とするセラミック体の製造方法に係るものであり、本発明の請求項６は、第一次乾燥を湿度５０〜９０％及び温度２５〜４０℃の条件下で行い、第二次乾燥を第一次乾燥より低い湿度及び常温下の条件下で行う請求項５記載のセラミック体の製造方法に係るものである。
【００１０】
更に又、本発明の請求項７は、請求項１〜請求項４のいずれかに記載のセラミック体に接触させて処理したことを特徴とするセラミック体の処理水溶液、に係るものである。
【００１１】
又、本発明の請求項８は、請求項１〜請求項４のいずれかに記載のセラミック体に水溶液が接触し得るよう、流路管にセラミック体を充填したことを特徴とするセラミック体を用いた水溶液処理装置に係るものであり、本発明の請求項９は、流路管の周囲に、内部空間を形成する流路外周体を設けると共に、流路外周体の内部に、予めセラミック体で処理した処理水溶液を封入するよう構成した請求項８記載の水溶液処理装置に係るものである。
【００１２】
セラミック体に水溶液が接触した際には、水分子の水素結合が分離することにより、水分子の集団（クラスター）を構成しない単体化された水分子もしくは水素水に変化し、強力な還元活性を生じていると推測される。
【００１３】
このように、請求項１〜請求項４のセラミック体に水溶液が接触した際には、水溶液中の水が分子レベルで単体化して空気中の酸素と反応しない状態に変化すると共に、水溶液に有害物質、細菌等を分解及び除去する能力を生じるので、水溶液処理の効果を長く維持すると共に水溶液の液質を十分に改善することができる。
【００１４】
請求項５、請求項６のセラミック体の製造方法によれば、原料の粒径１０〜３００μｍの粉体に水を加えて粘土状にしたものを、高温処理することなく、常温でセラミック体に製造するので、原料の組成で生じる水溶液処理の能力が消失することがなく、セラミック体を好適に製造することができる。
【００１５】
請求項７のセラミック体の処理水溶液によれば、水溶液中の水が分子レベルで単体化して空気中の酸素と反応しない状態に変化するので、有害物質、細菌等を分解及び除去する能力を備えることができる。
【００１６】
請求項８のセラミック体を用いた水溶液処理装置によれば、水溶液がセラミック体に十分に接触するので、水溶液に有害物質、細菌等を分解及び除去する能力を好適に生じさせ、水溶液処理の効果を長く維持すると共に水溶液の液質を十分に改善することができる。
【００１７】
請求項９のセラミック体を用いた水溶液処理装置によれば、流路外周体の内部空間に封入した処理水溶液を入れることにより、流路管を流れる水溶液中の水に対し波動を与えて処理水溶液の効果を転写するので、水溶液に有害物質、細菌等を分解及び除去する能力を更に好適に生じさせ、水溶液処理の効果を一層長く維持すると共に水溶液の液質を十分且つ確実に改善することができる。
【００１８】
【発明の実施の形態】
以下、本発明のセラミック体、その製造方法、その処理水溶液及びセラミック体を用いた水溶液処理装置を順に説明する。初めに本発明のセラミック体について説明する。
【００１９】
本発明のセラミック体は、組成中に、カルシウム、アルミニウム、ケイ素、鉄、マグネシウム、ナトリウムの元素を含むと共に、スカンジウム、ジルコニウム、カリウム、ポロニウム、チタン等の元素のうち少なくとも１つ以上、又は全てを含み（下記の具体例は全てを含む）、後に示す製造方法の如く常温で処理して球形に形成されている。なお、本発明のセラミック体は、高温での焼成により形成される製造条件を含むものではない。
【００２０】
ここで、セラミック体には、全重量に対してカルシウムが１５〜４５重量％、アルミニウムが５〜３０重量％、ケイ素が５〜３０重量％で含まれ、全体の組成合計量が１００％以下になるよう配合されており、好ましくは、セラミック体の全重量に対してカルシウムが１５〜３７重量％、アルミニウムが５〜１７重量％、ケイ素が５〜１２重量％で含まれ、更に好ましくはセラミック体の全重量に対してカルシウムが３５重量％、アルミニウムは１５重量％、ケイ素は１０重量％で含まれている。
【００２１】
又、セラミック体には、全重量に対して鉄が５〜３０重量％、マグネシウムが５〜３０重量％、ナトリウムが１〜１０重量％で含まれ、全体の組成合計量が１００％以下になるよう配合されており、好ましくは、鉄が５〜１７重量％、マグネシウムが５〜１２重量％、ナトリウムが２〜５重量％で含まれ、更に好ましくは、全重量に対して鉄が１５重量％、マグネシウムが１０重量％、ナトリウムが４重量％で含まれている。
【００２２】
更に、セラミック体には、全重量に対してスカンジウムが１〜１０重量％、ジルコニウムが０．５〜１０重量％、カリウムが０．５〜１０重量％、ポロニウムが０．５〜１０重量％、チタンが０．５〜１０重量％で含まれ、全体の組成合計量が１００％以下になるよう配合されており、好ましくは、スカンジウムが３重量％、ジルコニウムが２重量％、カリウムが２重量％、ポロニウムが２重量％、チタンが２重量％で含まれている。
【００２３】
更に又、セラミック体には、微量金属としてセシウム、ベリリウム、ストロンチウム、ラジウム、リチウム、ハフニウム、マンガン等の元素うち少なくとも１つ以上を含んでもよい。
【００２４】
次に本発明のセラミック体の製造方法について説明する。
【００２５】
本発明のセラミック体の製造方法は図１に示す如くフローで製造されており、初めに、前処理段階として、セラミック体の組成の原料にするよう、一種または複数の鉱石及び有機物から選択した混合物を、粒径１０〜３００μｍの粉体に粉砕して攪拌し（ｓｔｅｐ１）、粉体の原料にカルシウム配合水を３０〜４０％加えることにより攪拌して粘土状にし（ｓｔｅｐ２）、約３０分以内に球状型枠に流し込んで型枠圧１〜３ｋｇを掛ける（ｓｔｅｐ３）。ここで、作業温度は２０〜４０℃の常温の範囲で行うことが好ましい。
【００２６】
粘土を球状型枠に流し込んだ後には、第一次乾燥として湿度５０〜９０％及び温度２５〜４０℃の条件下で１〜３時間乾燥させ（ｓｔｅｐ４）、次に第二次乾燥として湿度４０〜６０％中で第一次乾燥より低い湿度及び温度２０〜５０℃の常温の範囲で２４〜１２０時間乾燥させることにより（ｓｔｅｐ５）、球状体を球状型枠より外し（ｓｔｅｐ６）、湿度３０〜４０％で温度２０〜５０℃の常温の範囲で３〜６日間、カルシウム配合水に浸して灰汁抜きを行い（ｓｔｅｐ７）、更に自然の状態で２〜５日間、天日乾燥する（ｓｔｅｐ８）。ここで、灰汁抜き、天日乾燥は長時間でもよく、特に、自然の状態で時間を掛けることが好ましい。なお、電気や温風による強制的な乾燥処理は球状体にヒビやワレが入り不適な場合がある。
【００２７】
このように、球状体を天日乾燥した後には、球状体の形を整えるよう球研磨を行い（ｓｔｅｐ９）、球状のセラミック体をより強固に製造する。
【００２８】
以上のように、セラミック体の製造方法によれば、高温処理することなく、常温でセラミック体に製造するので、原料の組成で生じる水処理の能力が消失することがなく、セラミック体を好適に製造することができる。ここで、原料である粉体の粒径が１０μｍより小さい場合には、セラミック体の効果は変わらないにもかかわらず、粉体を製造するためのコストが上昇するという問題がある。又、原料である粉体の粒径が３００μｍより大きい場合には、水を加えても粘土状にすることができないと共に、水溶液の流路中に配置した際には水圧により磨耗しやすいという問題がある。
【００２９】
続いてセラミック体の処理水溶液及びセラミック体を用いた水溶液処理装置について説明する。
【００３０】
図２、図３に示す如く、本発明の水溶液処理装置１は、流路管２の両側に、無数の細孔を備える係止板３を備え、流路管２の内部に、上記の複数のセラミック体４を充填している。ここで、係止板３の細孔はセラミック体４の直径より小さく形成されており、水溶液の流れによってセラミック体４は流出することがない。なお、水溶液は、水、海水、水に他の物質を含む溶液等のいずれかであり、特に限定されるものではない。
【００３１】
一方、流路管２の外周には、所定の内部空間を形成する流路外周体５を設けると共に、流路外周体５の内部に、予め水溶液処理装置１のセラミック体４で処理した処理水溶液６を封入している。ここで、図２、図３中、７は流路管２を他の配管に接続するフランジを示し、８は流路外周体５を他の部材により支持させる取付部を示し、９は流路管２に水溶液を送り出すポンプを示している。なお、封入した処理水溶液６は、水、海水、水に他の物質を含む溶液等のいずれかを処理したものであればよいが、水を処理したものが好ましい。
【００３２】
水溶液処理装置１に水溶液を処理させる際には、モータ９を介して水溶液を流路管２に導入することにより、水道水前後の水圧以上でセラミック体４に接触させ、下流へ流す。
【００３３】
以下、セラミック体４に水溶液を接触させて生じるセラミック体の処理水溶液の実験結果を示す。
【００３４】
〔実験１〕
実験１では、精製水をセラミック体４に接触させるよう水溶液処理装置で処理した処理水と、精製水である対照水とを比較した。試験方法としては、寒天培地で培養した大腸菌、サルモネラ、レジオネラを試験菌として調整し（大腸菌及びサルモネラは菌数約１０７／ｍｌ、レジオネラは菌数約１０８／ｍｌ）、処理水２０ｍｌ及び対照水２０ｍｌに夫々の試験菌０．２ｍｌを添加したものを準備し、２５℃で１日間、３日間、７日間保存して処理水及び対照水の生菌数を菌数測定用培地を用いて測定した。結果を〔表１〕に示す。
【００３５】
【表１】
2004033955.tif 000002
【００３６】
〔表１〕の結果から、対照水は時間経過に伴って夫々の生菌数が若干低下するのに対し、セラミック体４の水溶液処理装置により処理した処理水は、時間経過に伴って夫々の生菌数が大幅低下しており、処理水は処理能力を有すると共に殺菌力があることが明らかである。
【００３７】
〔実験２〕
実験２では、田畑で採取された水をセラミック体４に接触させて処理したもの（サンプルＡ）と、同じ田畑で採取された水（サンプルＢ）とを比較した。両者は、公衆衛生センターで一般細菌、大腸菌群、硝酸性窒素及び亜硝酸窒素の項目について試験を行った。結果を〔表２〕に示す。
【００３８】
【表２】
2004033955.tif 000003
【００３９】
〔表２〕の結果から、サンプルＢは、一般細菌が１７００／ｍｌ、大腸菌群が陽性、硝酸性窒素及び亜硝酸窒素が１８．９ｍｇ／ｌ、サンプルＡは、一般細菌が５００／ｍｌ、大腸菌群が陰性、硝酸性窒素及び亜硝酸窒素が６．５ｍｇ／ｌであり、実験１の結果と略同様に処理したサンプルＡは長時間、処理の能力を有すると共に、殺菌力があることが明らかである。
【００４０】
〔実験３〕
実験３では、ヒ素を多く含む所定の原水をセラミック体４の水溶液処理装置で処理した処理水と、原水とを比較した。試験方法としては、ＪＩＳ規格による計量の方法（ＪＩＳ　Ｋ　０１０２）を用いて、水素イオン濃度（ｐＨ）、全鉄、ヒ素、アルミニウムの濃度を測定した。結果を〔表３〕に示す。
【００４１】
【表３】
2004033955.tif 000004
【００４２】
〔表３〕の結果から、原水は強酸性で全鉄、ヒ素、アルミニウムの濃度が高い状態であるのに対し、セラミック体４の水溶液処理装置により処理した処理水は、弱酸性で全鉄、ヒ素、アルミニウムの濃度が低い状態であり、処理水は、有害なヒ素等の有害物質を低減するよう種々の金属の濃度を低下させることが明らかである。
【００４３】
ここで、水溶液がセラミック体４に接触した際には、水分子の水素結合が分離することにより、水分子の集団（クラスター）を構成しない単体化された水分子もしくは水素水に変化し、強力な還元活性を生じていると推測されている。
【００４４】
以上のように、水溶液がセラミック体４に接触して流れると、水溶液中の水が分子レベルで単体化して空気中の酸素と反応しない状態に変化するので、水溶液は有害物質、細菌、ウイルス、有害物質等を分解及び除去する能力を備えることができ、又、水溶液処理装置に水溶液を流すことによって、水溶液処理の効果を長く維持すると共に水溶液の液質を十分に改善することができる。更に、このように処理した水や海水を養殖場等に使用すると、病原菌を分解及び除去するので、魚体自身の新陳代謝が旺盛になって成長等が早くなると共に、稚魚及び子魚の抵抗力を増して生存率を上げ、結果的に、出荷等が迅速になると共に育成の回収率が高くなって経営コストを低減することができる。
【００４５】
一方、セラミック体４は、全重量に対してカルシウムが１５〜４５重量％、アルミニウムが５〜３０重量％、ケイ素が５〜３０重量％で含まれ、全体の組成合計量が１００％以下になるよう配合されることにより、水溶液を改善する傾向がある。又、全重量に対してカルシウムが１５〜３７重量％、アルミニウムが５〜１７重量％、ケイ素が５〜１２重量％で含まれる場合には好適に水溶液を改善する。更に全重量に対してカルシウムが３５重量％、アルミニウムは１５重量％、ケイ素は１０重量％で含まれる場合には最も好適に水溶液を改善する。ここで、カルシウムが１５％重量より小さい場合、アルミニウムが５重量％より小さい場合、ケイ素が５重量％より小さい場合のいずれか一つに該当する場合には、水溶液を改善することができず、未処理のものと略同様に殺菌等が増殖し、又、カルシウムが４５％重量より大きい場合、アルミニウムが３０重量％より大きい場合、ケイ素が３０重量％より大きい場合のいずれか一つに該当する場合には、セラミック体４の組成比のバランスが崩れるため、耐久性が著しく低下すると共に重量が増すという問題がある。
【００４６】
又、セラミック体４は、カルシウム、アルミニウム、ケイ素と共に、全重量に対して鉄が５〜３０重量％、マグネシウムが５〜３０重量％、ナトリウムが１〜１０重量％で含まれ、全体の組成合計量が１００％以下になるよう配合されることにより、水溶液を一層改善する傾向がある。又、全重量に対して鉄が５〜１７重量％、マグネシウムが５〜１２重量％、ナトリウムが２〜５重量％で含まれる場合には好適に水溶液を改善する。更に全重量に対して鉄が１５重量％、マグネシウムが１０重量％、ナトリウムが４重量％で含まれる場合には、最も好適に水溶液を改善する。ここで、鉄が５％重量より小さい場合、マグネシウムが５重量％より小さい場合、ナトリウムが５重量％より小さい場合のいずれか一つに該当する場合には、水溶液を十分に改善することができない。又、鉄が３０％重量より大きい場合、マグネシウムが３０重量％より大きい場合、ナトリウムが１０重量％より大きい場合のいずれか一つに該当する場合には、セラミック体４の組成比のバランスが崩れるため、耐久性が著しく低下すると共に重量が増すという問題がある。
【００４７】
更に、セラミック体４は、カルシウム、アルミニウム、ケイ素、鉄、マグネシウム、ナトリウムと共に、全重量に対してスカンジウムが１〜１０重量％、ジルコニウムが０．５〜１０重量％、カリウムが０．５〜１０重量％、ポロニウムが０．５〜１０重量％、チタンが０．５〜１０重量％で含まれ、全体の組成合計量が１００％以下になるよう配合されることにより、水溶液を一層改善する傾向がある。更に全重量に対してスカンジウムが３重量％、ジルコニウムが２重量％、カリウムが２重量％、ポロニウムが２重量％、チタンが２重量％で含まれる場合には、最も好適に水溶液を改善する。ここで、スカンジウムが１重量％より小さい場合、ジルコニウムが０．５重量％より小さい場合、カリウムが０．５重量％より小さい場合、ポロニウムが０．５〜１０重量％より小さい場合、チタンが０．５〜１０重量％より小さい場合のいずれか一つに該当する場合には、水溶液を十分に改善することができない。又、スカンジウムが１０重量％より大きい場合、ジルコニウムが１０重量％より大きい場合、カリウムが１０重量％より大きい場合、ポロニウムが１０重量％より大きい場合、チタンが１０重量％より大きい場合には、セラミック体４の組成比のバランスが崩れるため、耐久性が著しく低下すると共に重量が増すという問題がある。
【００４８】
更に又、セラミック体４には、微量金属としてセシウム、ベリリウム、ストロンチウム、ラジウム、リチウム、ハフニウム、マンガン等の元素うち少なくとも１つ以上を含むと、一層好適に水溶液を改善することができる。
【００４９】
セラミック体４の処理水溶液によれば、水溶液中の水が分子レベルで単体化して空気中の酸素と反応しない状態に変化するので、有害物質、細菌等を分解及び除去する能力を備えることができる。
【００５０】
セラミック体４を用いた水溶液処理装置１によれば、水溶液がセラミック体４に十分に接触するので、水溶液に有害物質、細菌等を分解及び除去する能力を好適に生じさせ、水溶液処理の効果を長く維持すると共に水溶液の液質を十分に改善することができる。
【００５１】
又、セラミック体４を用いた水溶液処理装置１によれば、流路外周体５の内部空間に封入した処理水溶液を入れることにより、流路管を流れる水溶液中の水に対し波動を与えて処理水溶液の効果を転写するので、水溶液に有害物質、細菌等を分解及び除去する能力を更に好適に生じさせ、水溶液処理の効果を一層長く維持すると共に水溶液の液質を十分且つ確実に改善することができる。
【００５２】
なお、本発明のセラミック体、その製造方法、その処理水溶液及びセラミック体を用いた水溶液処理装置は、上述の形態例にのみ限定されるものではなく、本発明の要旨を逸脱しない範囲内において種々変更を加え得ることは勿論である。
【００５３】
【発明の効果】
以上、述べたように、本発明のセラミック体、その製造方法、その処理水溶液及びセラミック体を用いた水溶液処理装置によれば、下記の如き、種々の優れた効果を奏し得る。
【００５４】
Ｉ）請求項１〜請求項４のセラミック体に水溶液が接触した際には、水溶液中の水が分子レベルで単体化して空気中の酸素と反応しない状態に変化すると共に、水溶液に有害物質、細菌等を分解及び除去する能力を生じるので、水溶液処理の効果を長く維持すると共に水溶液の液質を十分に改善することができる。
【００５５】
ＩＩ）請求項５、請求項６のセラミック体の製造方法によれば、原料の粒径１０〜３００μｍの粉体に水を加えて粘土状にしたものを、高温処理することなく、常温でセラミック体に製造するので、原料の組成で生じる水溶液処理の能力が消失することがなく、セラミック体を好適に製造することができる。
【００５６】
ＩＩＩ）請求項７のセラミック体の処理水溶液によれば、水溶液中の水が分子レベルで単体化して空気中の酸素と反応しない状態に変化するので、有害物質、細菌等を分解及び除去する能力を備えることができる。
【００５７】
ＩＶ）請求項８のセラミック体を用いた水溶液処理装置によれば、水溶液がセラミック体に十分に接触するので、水溶液に有害物質、細菌等を分解及び除去する能力を好適に生じさせ、水溶液処理の効果を長く維持すると共に水溶液の液質を十分に改善することができる。
【００５８】
Ｖ）請求項９のセラミック体を用いた水溶液処理装置によれば、流路外周体の内部空間に封入した処理水溶液を入れることにより、流路管を流れる水溶液中の水に対し波動を与えて処理水溶液の効果を転写するので、水溶液に有害物質、細菌等を分解及び除去する能力を更に好適に生じさせ、水溶液処理の効果を一層長く維持すると共に水溶液の液質を十分且つ確実に改善することができる。
【図面の簡単な説明】
【図１】本発明の実施の形態例におけるセラミック体の製造方法の製造過程を示すフローチャートである。
【図２】本発明の実施の形態例におけるセラミック体を用いた水溶液処理装置を示す概略断面図である。
【図３】図２のＩＩＩ−ＩＩＩ方向矢視図である。
【符号の説明】
２　　流路管
４　　セラミック体
５　　流路外周体
６　　処理水溶液
【図１】
2004033955.tif 000005
【図２】
2004033955.tif 000006
【図３】
2004033955.tif 000007